(57)【要約】      （修正有）【課題】圧接後のふくらみ、溶接後の肉盛りに干渉せずに直接測定が可能であり、板金折り曲げ等の内側、外側の角度測定にも対応できる分度板を提供する。【解決手段】溶接角度ゲージａは円弧状にして、且表面１に角度測定目盛２を付記し、底辺部の一端部に平面測定部５及び垂直測定部５ａ付き左側測定部４を突設する。角度測定指示ゲージｂは円弧状にして、且一端部に、溶接角度ゲージａの測定部５と対向する一対の平面測定部６及び垂直測定部６ａ付き右側測定部４ａを突設し、且角度測定目盛２の尖状測定目盛指示部８と測定目盛表示孔部８ａとを形成し、溶接角度ゲージａの底辺部と角度測定指示ゲージｂの底辺部９をねじ軸１０にて軸止し組立てる。【選択図】図１
0003172187.tif 000002
【実用新案登録請求の範囲】
【請求項１】
溶接角度ゲージａに角度測定指示ゲージｂが重合し、回動自在にねじ軸１０にて軸支する内角度用及び外角度用分度板において、
前記溶接角度ゲージａは円弧状にして、且表面１に角度測定目盛２を付記し、底辺部３の一端部に平面測定部５及び垂直測定部５ａ付き左側測定部４を突設すると共に、前記角度測定指示ゲージｂは円弧状にして、且一端部に、前記溶接角度ゲージａの測定部５と対向する一対の平面測定部６及び垂直測定部６ａ付き右側測定部４ａを突設し、且前記角度測定目盛２の尖状測定目盛指示部８と測定目盛表示孔部８ａとを形成し、前記溶接角度ゲージａの底辺部３と前記角度測定指示ゲージｂの底辺部９を前記ねじ軸１０にて軸止し組立てることを特徴とする内角度用及び外角度用分度板。
【請求項２】
前記目盛指示部８は、前記溶接角度ゲージａの角度測定目盛２を指示部できるように上方部にして、且中央部に形成せしめることを特徴とする請求項１に記載の内角度用及び外角度用分度板。
【請求項３】
前記溶接角度ゲージａと角度測定指示ゲージｂの左側測定部４と右側測定部４ａの平面測定部５、６と垂直測定部５ａ、６ａに、夫々測定目盛２の目盛読取り表示部１１、１２を夫々形成せしめることを特徴とする請求項１又は同２に記載の内角度用及び外角度用分度板。
【請求項４】
前記溶接角度ゲージａの水平部３中、前記左側測定部３と反対側の水平部３の端部には、目盛読取り表示部１３を形成することを特徴とする請求項１又は同２又は同３に記載の内角度用及び外角度用分度板。
【請求項５】
前記角度測定指示ゲージｂの測定目盛表示孔部８ａの下方部１４にして、且底辺部９の左右両サイドには、目盛読取り表示部１５、１６を形成することを特徴とする請求項１又は同２又は同３又は同４に記載の内角度用及び外角度用分度板。
【請求項６】
前記尖状測定目盛指示部８の下方部に黒丸の目盛読取り表示部１７を形成することを特徴とする請求項１又は同２又は同３又は同４又は同５に記載の内角度用及び外角度用分度板。 
【考案の詳細な説明】
【技術分野】
【０００１】
本考案は、内角度用及び外角度用分度板の内角度用及び外角度用分度板の分野に関するものである。
【背景技術】
【０００２】
従来、鉄骨仕口部の角度測定用定規が実開平６−１２９０２公開実用新案公報として開示されている。
【０００３】
従来開示の公報には、重合させる大小二つの扇形板体１、２を扇回動自在に基部３、４にて軸５により枢着し、一方の扇形板体１の円弧の一端と他方の扇形板体２の円弧の他端とに一対のＴ形当接片６、７を突設し、また、一方の扇形板体１の中間部にねじ孔８を穿設し、該ねじ孔に対応させて、他方の扇形板体２の中間部に前記軸５を中心とする円弧状ガイド長孔９を設け、該円弧状ガイド長孔を介して前記ねじ孔８に回転固定ピン１０を螺合させて、該回転固定ピンの螺合締め付けにより一方の扇形板体１に対する他方の扇形板体２の位置決めを可能にするとともに、一方の扇形板体１の円弧縁部に目盛１１を、かつ、他方の扇形板体２の円弧縁部の適所にその目盛１１に対応する指標１２を設けた鉄骨仕口部の角度測定用定規が記載されている（請求項１参照）。
【先行技術文献】
【特許文献】
【０００４】
【特許文献１】実開平６−１２９０２公開実用新案公報
【考案の概要】
【考案が解決しようとする課題】
【０００５】
前記文献１の場合、一対のＴ形当接片６、７を扇回動自在に回動するには、円弧状ガイド長孔９内に螺合させている回転固定ピン１０を螺合締付けにより回動させるもので、前記ガイド長孔９の長さに見合う分だけ扇形板体１、２が扇回動をするだけである。
【０００６】
そのため、２枚の扇形板体１、２は、広範囲の角度測定や、肉盛りに干渉させずに測定をしたり、板金折り曲げ等の内側、外側の角度測定ができない構成である。
【０００７】
しかるに本考案の目的は、圧接後のふくらみ、溶接後の肉盛りに干渉せずに直接測定が可能であること、さらに板金折り曲げ等の内側、外側の角度測定にも対応できること、表面にツヤ消しシルバー仕上げを採用し、目盛を読み取りやすくしたこと、さらに現場でのラフな使用に耐える堅牢な構造にしたこと、内角度用及び外角度用分度板を提供することにある。
【課題を解決するための手段】
【０００８】
上記課題を解決するための手段としての請求項１記載の内角度用及び外角度用分度板は、溶接角度ゲージａに角度測定指示ゲージｂが重合し、回動自在にねじ軸１０にて軸支する内角度用及び外角度用分度板において、
前記溶接角度ゲージａは円弧状にして、且表面１に角度測定目盛２を付記し、底辺部３の一端部に平面測定部５及び垂直測定部５ａ付き左側測定部４を突設すると共に、前記角度測定指示ゲージｂは円弧状にして、且一端部に、前記溶接角度ゲージａの測定部５と対向する一対の平面測定部６及び垂直測定部６ａ付き右側測定部４ａを突設し、且前記角度測定目盛２の尖状測定目盛指示部８と測定目盛表示孔部８ａとを形成し、前記溶接角度ゲージａの底辺部３と前記角度測定指示ゲージｂの底辺部９を前記ねじ軸１０にて軸止し組立てることを特徴とする内角度用及び外角度用分度板である。
【０００９】
上記課題を解決するための手段としての請求項２記載の考案は、前記目盛指示部８は、前記溶接角度ゲージａの角度測定目盛２を指示部できるように上方部にして、且中央部に形成せしめることを特徴とする請求項１に記載の内角度用及び外角度用分度板である。
【００１０】
上記課題を解決するための手段としての請求項３記載の考案は、前記溶接角度ゲージａと角度測定指示ゲージｂの左側測定部４と右側測定部４ａの平面測定部５、６と垂直測定部５ａ、６ａに、夫々測定目盛２の目盛読取り表示部１１、１２を夫々形成せしめることを特徴とする請求項１又は同２に記載の内角度用及び外角度用分度板である。
【００１１】
上記課題を解決するための手段としての請求項４記載の考案は、前記溶接角度ゲージａの水平部３中、前記左側測定部３と反対側の水平部３の端部には、目盛読取り表示部１３を形成することを特徴とする請求項１又は同２又は同３に記載の内角度用及び外角度用分度板である。
【００１２】
上記課題を解決するための手段としての請求項５記載の考案は、前記角度測定指示ゲージｂの測定目盛表示孔部８ａの下方部１４にして、且底辺部９の左右両サイドには、目盛読取り表示部１５、１６を形成することを特徴とする請求項１又は同２又は同３又は同４に記載の内角度用及び外角度用分度板である。
【００１３】
上記課題を解決するための手段としての請求項６記載の考案は、前記尖状測定目盛指示部８の下方部に黒丸の目盛読取り表示部１７を形成することを特徴とする請求項１又は同２又は同３又は同４又は同５に記載の内角度用及び外角度用分度板である。
【考案の効果】
【００１４】
請求項１記載の考案は、溶接角度ゲージａに角度測定指示ゲージｂが重合し、回動自在にねじ軸１０にて軸支する内角度用及び外角度用分度板において、
前記溶接角度ゲージａは円弧状にして、且表面１に角度測定目盛２を付記し、底辺部３の一端部に平面測定部５及び垂直測定部５ａ付き左側測定部４を突設すると共に、前記角度測定指示ゲージｂは円弧状にして、且一端部に、前記溶接角度ゲージａの測定部５と対向する一対の平面測定部６及び垂直測定部６ａ付き右側測定部４ａを突設し、且前記角度測定目盛２の尖状測定目盛指示部８と測定目盛表示孔部８ａとを形成し、前記溶接角度ゲージａの底辺部３と前記角度測定指示ゲージｂの底辺部９を前記ねじ軸１０にて軸止し組立てることを特徴とする内角度用及び外角度用分度板なので、溶接前後の溶接部材の角度測定が広範囲に可能となった。
【００１５】
さらに本考案は、圧接後のふくらみや、溶接後の肉盛りに干渉せずに直接測定が可能となった。
【００１６】
また本考案は、板金折り曲げ等の内側、外側の角度測定にも対応できる。  
【００１７】
請求項２記載の考案は、前記目盛指示部８は、前記溶接角度ゲージａの角度測定目盛２を指示部できるように上方部にして、且中央部に形成せしめることを特徴とする請求項１に記載の内角度用及び外角度用分度板なので、前記請求項１に記載の効果と同じ効果を有している。
【００１８】
また本考案は、角度測定目盛をすばやく指示し読取ることができる利点がある。
【００１９】
請求項３記載の考案は、前記溶接角度ゲージａと角度測定指示ゲージｂの左側測定部４と右側測定部４ａの平面測定部５、６と垂直測定部５ａ、６ａに、夫々測定目盛２の目盛読取り表示部１１、１２を夫々形成せしめることを特徴とする請求項１又は同２に記載の内角度用及び外角度用分度板なので、前記請求項１及び同２に記載の効果と同じ効果を有している。
【００２０】
請求項４記載の考案は、前記溶接角度ゲージａの水平部３中、前記左側測定部３と反対側の水平部３の端部には、目盛読取り表示部１３を形成することを特徴とする請求項１又は同２又は同３に記載の内角度用及び外角度用分度板なので、前記請求項１及び同２並びに同３に記載の考案の効果と同じ効果を有している。
【００２１】
請求項５記載の考案は、前記請求項１ないし同４に記載の考案の効果と同じ効果を有している。
【００２２】
請求項６記載の考案は、前記請求項１〜同５に記載の効果と同じ効果を有している。
【図面の簡単な説明】
【００２３】
【図１】本考案内角度用及び外角度用分度板の正面図である。
【００２４】
【図２】同分度板の使用状態の第１例を示す正面図である。
【００２５】
【図３】同分度板の使用状態の第２例を示す正面図である。
【００２６】
【図４】同分度板の使用状態の第３例を示す正面図である。
【００２７】
【図５】同分度板の使用状態の第４例を示す正面図である。
【００２８】
【図６】同分度板の背面図である。
【００２９】
【図７】同分度板の平面図である。
【考案を実施するための最良の形態】
【００３０】
請求項１〜６に記載の考案の実施の形態は、共通しているので、一括して以下のとおり説明する。
【００３１】
図において、ａは内角度用及び外角度用分度板を構成する溶接角度ゲージ、ｂは角度測定指示ゲージである。
【００３２】
前記両ゲージａ、ｂは、重合し、回動自在にねじ軸１０にて軸支する。
【００３３】
前記溶接角度ゲージａは、円弧状にして、且表面１に角度測定目盛２を付記し、底辺部３の一端部に直角形状平面測定部５及び垂直測定部５ａ付き左側測定部４を突設する。
【００３４】
さらに、前記角度測定指示ゲージｂも円弧状にして、且一端部に、前記溶接角度ゲージａの測定部５と対向する一対の直角形状の平面測定部６及び垂直測定部６ａ付き右側測定部４ａを突設する。さらに前記角度測定目盛２の尖状測定目盛指示部８と測定目盛表示孔部８ａとを形成する。
【００３５】
また、前記溶接角度ゲージａの底辺部３と前記角度測定指示ゲージｂの底辺部９の中央部には、前記ねじ軸１０を通し軸止、前記角部空気遮断部度測定指示ゲージｂの裏面部１ａに突出したねじ軸１０にナット１８を螺着し両ゲージａ、ａを組立てる。
【００３６】
さらに、前記目盛指示部８は、前記溶接角度ゲージａの角度測定目盛２を指示部できるように上方部にして、且中央部に形成する。
【００３７】
前記溶接角度ゲージａと角度測定指示ゲージｂの左側測定部４と右側測定部４ａの平面測定部５、６と垂直測定部５ａ、６ａに、夫々測定目盛２の目盛読取り表示部１１、１２を夫々形成する。
【００３８】
前記目盛読取り表示部１１は黒丸とし、同じく表示部１２はむくにして三角形状とする。
【００３９】
さらに、前記溶接角度ゲージａの水平部３中、前記左側測定部３と反対側の水平部３の端部にも、目盛読取り表示部１３を形成する。
【００４０】
また、前記角度測定指示ゲージｂの測定目盛表示孔部８ａの下方部１４にして、且底辺部９の左右両サイドにも、目盛読取り表示部１５、１６を形成する。
【００４１】
前記目盛読取り表示部１５は、黒色の三角状形状とする。
【００４２】
前記目盛読取り表示部１６は、むくの三角形状とする。
【００４３】
さらに、前記尖状測定目盛指示部８の下方部に黒丸の目盛読取り表示部１７を形成する。
【００４４】
つぎに本考案の内角度用及び外角度用分度板の使用方法について説明すると以下のとおりである。
【００４５】
その１、圧接部、突合せ継ぎ手の折れ曲り角度測定の手法につき説明する。
【００４６】
図２のように、前記溶接角度ゲージａの左側測定部４の平面測定部５と、前記角度測定指示ゲージｂの右側測定部４ａの平面測定部６を圧接部ふくらみもしくは肉盛り２０ａの前後の鉄筋丸棒もしくはアングル２０に密着する。そのとき尖状測定目盛指示部８が指示する角度目盛２（１０度）を読取る手法である。
【００４７】
その２、フランジ、板金の曲げ角度の測定は、図３に図示されているようにして行うものである。
【００４８】
すなわち、図１の重合から図３のように前記角度測定指示ゲージｂを回転させて、前記角度測定指示ゲージｂの右側測定部４ａを左側方に、前記角度ゲージａの左側測定部４を右側方に位置せしめる。
【００４９】
そして、前記両ゲージａ、ｂの両測定部４、４ａの垂直測定部５ａ、６ａを板材２１の表面に密着させる。そのとき前記垂直測定部５ａ、６ａに付記のむくの三角形状の目盛読取り表示部１２、１２と同じ角度測定指示ゲージｂに付記のむくの三角形状目盛読取り表示部１６が指示している角度目盛２（２０度）を読取ってやる。
【００５０】
その３、溶接仕口部の角度が１１０度を支持し読取るときの手法を説明する。
【００５１】
図４のように前記両ゲージａ、ｂを回転させ、両板材２１、２１の平面に、両ゲージａ、ｂの測定部４、４ａの垂直測定部５ａ、６ａを当ててやる。
【００５２】
しかる後、前記両垂直測定部５ａ、６ａに付記されているむくの三角形状の目盛読取り表示部１２、１２と同じむくの三角形状目盛読取り表示部１６が指示している角度目盛２の１１０度を読取ってやる。
【００５３】
以上のような手順によって、溶接仕口部の角度（１１０度）を読取ることが可能である。
【００５４】
その４、板材はさみ角度の測定の手順につき説明すると以下のとおりである。
【００５５】
前記板材はさみ角度測定は、図５に図示されているように前記両ゲージａ、ｂの底辺部３、９を板材２１の裏面部と切り口傾斜部に当てはさみ込んで行うものである。
【００５６】
すなわち、前記のようにして板材２１を両ゲージａ、ｂの底辺部３、９をはさんでやると、前記両底辺部３、９の左端部及び右端部に夫々付記する黒色三角形状の目盛読取り表示部１３、１５と前記角度測定指示ゲージｂの底辺部９の右側方に２つ並んで付記する一方の黒色三角形状の目盛読取り表示部１５が指示する角度目盛２の６５度を読取る。
【００５７】
以上が本考案内角度用及び外角度用分度板による板材２１の切口傾斜角度のはさみ角度の測定方法である。
【００５８】
１９はワッシャーである。
【符号の説明】
【００５９】
ａ      溶接角度ゲージ
ｂ      角度測定指示ゲージ
１      表面
１ａ    裏面
２      測定目盛
３      底辺部
４      左側測定部
４ａ    右側測定部
５      平面測定部
５ａ    垂直測定部
６      平面測定部
６ａ    垂直測定部
８      測定目盛指示部
８ａ    測定目盛表示孔部
９      底辺部
１０    ねじ軸
１１    目盛読取り表示部
１２    目盛読取り表示部
１３    目盛読取り表示部
１４    下方部
１５    目盛読取り指示部
１６    目盛読取り指示部
１７    目盛読取り指示部
１８    ナット
１９    ワッシャー
２０    鉄筋丸棒もしくはアングル
２０ａ  圧接部ふくらみもしくは肉盛り
２１    板材
【図１】
0003172187.tif 000003
【図２】
0003172187.tif 000004
【図３】
0003172187.tif 000005
【図４】
0003172187.tif 000006
【図５】
0003172187.tif 000007
【図６】
0003172187.tif 000008
【図７】
0003172187.tif 000009